(57)【要約】【課題】着せ替え作業コストを低減することができるマネキン、マネキンユニット及びこのマネキンに使用される衣料用ハンガーを提供する。【解決手段】板状に形成されたマネキン本体７１は、ハンガーＨＧ１，ＨＧ２の掛止部１０１，２０１を掛止可能なハンガーフック７２ａ，７２ｂを有する。ハンガーフック７２ａ，７２ｂは、マネキン本体７１の板面から突出して設けられ、ハンガーフック７１ａ，７２ｂにハンガーＨＧ１，ＨＧ２の掛止部１０１，２０１を掛止可能に構成されている。マネキン本体７１には、ハンガーフック７２ａ，７２ｂを上下方向にスライド可能に案内するスライド孔７４ａ，７４ｂが設けられており、ハンガーフック７２ａ，７２ｂをスライド孔７２ａ，７２ｂに沿って移動させることによりハンガーＨＧ１，ＨＧ２の掛止部１０１，２０１の掛止位置を変更可能に構成されている。【選択図】図４
2017042369.tif 000002
【特許請求の範囲】
【請求項１】
人体を模した形状であって、板状に形成されたマネキン本体を備えたマネキンにおいて、
前記マネキン本体は、衣料用ハンガーの掛止部を掛止可能な掛止手段を有することを特徴とするマネキン。
【請求項２】
前記掛止手段は、前記マネキン本体の板面から突出して設けられるフック部を含み、該フック部に前記衣料用ハンガーの掛止部を掛止可能に構成されていることを特徴とする請求項１に記載のマネキン。
【請求項３】
前記掛止手段は、前記衣料用ハンガーの掛止部の掛止位置を変更可能に構成されていることを特徴とする請求項１又は２に記載のマネキン。
【請求項４】
前記フック部を上下方向にスライド可能に案内するスライド部が前記マネキン本体に設けられ、
前記掛止手段は、前記フック部を前記スライド部に沿って移動させることにより前記衣料用ハンガーの掛止部の掛止位置を変更可能に構成されていることを特徴とする請求項２に記載のマネキン。
【請求項５】
前記掛止手段は、前記マネキン本体の首部及び腰部に配置されていることを特徴とする請求項１〜４のいずれか一項に記載のマネキン。
【請求項６】
一又は複数の前記衣料用ハンガーの掛止部を掛止可能なラック部材を前記マネキン本体の板面から突出して設けたことを特徴とする請求項１〜５のいずれか一項に記載のマネキン。
【請求項７】
請求項１〜５のいずれか一項に記載の一対のマネキンと、一又は複数の前記衣料用ハンガーの掛止部を掛止可能な棒状のラック部材とを備え、
前記一対のマネキンを前記マネキン本体の板面同士が対向するように配置するとともに、前記ラック部材の両端を該一対のマネキンのマネキン本体の対向面にそれぞれ取り付けたことを特徴とするマネキンユニット。
【請求項８】
請求項１〜６のいずれか一項に記載のマネキンに掛止して用いられる衣料用ハンガーにおいて、
前記マネキン本体の前記掛止手段に掛止するための掛止部と、
該掛止部の基端から幅方向に延設されて衣服を支持する支持部とを備え、
前記支持部は、幅寸法が前記マネキンの肩幅寸法又は腰部の幅寸法に整合するように形成されていることを特徴とする衣料用ハンガー。
【請求項９】
前記掛止部と前記支持部とが透明の樹脂により一体形成されていることを特徴とする請求項８に記載の衣料用ハンガー。
【請求項１０】
請求項１〜６のいずれか一項に記載のマネキンに掛止して用いられる衣料用ハンガーにおいて、
前記マネキン本体の前記掛止手段に掛止するための掛止部と、
該掛止部の基端から幅方向に延設されて衣服を支持する支持部と、
該支持部の両端部分を連結する横桟部とを備え、
前記横桟部は、下方に膨出するようにして形成されるとともに、他の衣料用ハンガーを掛止可能な凹状の掛止凹部を有することを特徴とする衣料用ハンガー。
【発明の詳細な説明】
【技術分野】
【０００１】
本発明は、マネキン、マネキンユニット及び衣料用ハンガーに関する。
【背景技術】
【０００２】
従来、衣服を販売する店舗等において、販売促進の対象たる衣服を着衣させて購買者に対して購買意欲を促進させるために設置されるマネキンが知られている。そして、このような店舗においては、多種多様の衣服の販売を促進させるため、一日に複数回の衣服の着せ替えが行われている。これにより、マネキンによるディスプレイ効果により、売り上げの向上が図られている。
【０００３】
このようなマネキンにあっては、人体を模した立体的形状のマネキンの他、板状に形成されたマネキンが知られている。板状に形成されたマネキンは、立体的形状のマネキンと比べて運搬しやすく、取り扱いが容易であることに利点がある（例えば、特許文献１）。
【先行技術文献】
【特許文献】
【０００４】
【特許文献１】実用新案登録第３１６４７４６号公報
【発明の概要】
【発明が解決しようとする課題】
【０００５】
しかしながら、特許文献１に記載された板状のマネキンにあっても、立体的形状のマネキンと同様に、マネキンに対する衣服の着せ替え作業においては、マネキンを持ち上げたり、支持したりしながら行わなければならず、多大な労力を要する場合がある。すなわち、展示作業に対する人的コストが大きいということができる。
【０００６】
本発明は、上記課題に鑑みてなされたものであり、着せ替え作業コストを低減することができるマネキン、マネキンユニット及びこのマネキンに使用される衣料用ハンガーを提供することを目的とするものである。
【課題を解決するための手段】
【０００７】
上記目的を解決するため、請求項１に記載の発明は、
人体を模した形状であって、板状に形成されたマネキン本体を備えたマネキンにおいて、
前記マネキン本体は、衣料用ハンガーの掛止部を掛止可能な掛止手段を有することを特徴とする。
【０００８】
請求項２に記載の発明は、請求項１に記載のマネキンにおいて、
前記掛止手段は、前記マネキン本体の板面から突出して設けられるフック部を含み、該フック部に前記衣料用ハンガーの掛止部を掛止可能に構成されていることを特徴とする。
【０００９】
請求項３に記載の発明は、請求項１又は２に記載のマネキンにおいて、
前記掛止手段は、前記衣料用ハンガーの掛止部の掛止位置を変更可能に構成されていることを特徴とする。
【００１０】
請求項４に記載の発明は、請求項２に記載のマネキンにおいて、
前記フック部を上下方向にスライド可能に案内するスライド部が前記マネキン本体に設けられ、
前記掛止手段は、前記フック部を前記スライド部に沿って移動させることにより前記衣料用ハンガーの掛止部の掛止位置を変更可能に構成されていることを特徴とする。
【００１１】
請求項５に記載の発明は、請求項１〜４のいずれか一項に記載のマネキンにおいて、
前記掛止手段は、前記マネキン本体の首部及び腰部に配置されていることを特徴とする。
【００１２】
請求項６に記載の発明は、請求項１〜５のいずれか一項に記載のマネキンにおいて、
一又は複数の前記衣料用ハンガーの掛止部を掛止可能なラック部材を前記マネキン本体の板面から突出して設けたことを特徴とする。
【００１３】
請求項７に記載の発明は、マネキンユニットにおいて、
請求項１〜５のいずれか一項に記載の一対のマネキンと、一又は複数の前記衣料用ハンガーの掛止部を掛止可能な棒状のラック部材とを備え、
前記一対のマネキンを前記マネキン本体の板面同士が対向するように配置するとともに、前記ラック部材の両端を該一対のマネキンのマネキン本体の対向面にそれぞれ取り付けたことを特徴とする。
【００１４】
請求項８に記載の発明は、請求項１〜６のいずれか一項に記載のマネキンに掛止して用いられる衣料用ハンガーにおいて、
前記マネキン本体の前記掛止手段に掛止するための掛止部と、
該掛止部の基端から幅方向に延設されて衣服を支持する支持部とを備え、
前記支持部は、幅寸法が前記マネキンの肩幅寸法又は腰部の幅寸法に整合するように形成されていることを特徴とする。
【００１５】
請求項９に記載の発明は、請求項８に記載の衣料用ハンガーにおいて、
前記掛止部と前記支持部とが透明の樹脂により一体形成されていることを特徴とする。
【００１６】
請求項１０に記載の発明は、請求項１〜６のいずれか一項に記載のマネキンに掛止して用いられる衣料用ハンガーにおいて、
前記マネキン本体の前記掛止手段に掛止するための掛止部と、
該掛止部の基端から幅方向に延設されて衣服を支持する支持部と、
該支持部の両端部分を連結する横桟部とを備え、
前記横桟部は、下方に膨出するようにして形成されるとともに、他の衣料用ハンガーを掛止可能な凹状の掛止凹部を有することを特徴とする。
【発明の効果】
【００１７】
本発明によれば、着せ替え作業コストを低減することができるマネキン、マネキンユニット及びこのマネキンに使用される衣料用ハンガーを提供することができる。
【図面の簡単な説明】
【００１８】
【図１】本実施形態に係る板状マネキンを正面から見た図である。
【図２】本実施形態に係る板状マネキンの別の形態を正面から見た図である。
【図３】（Ａ）は、図２（Ｄ）に示される板状マネキンの平面図であり、（Ｂ）はその正面図であり、（Ｃ）は、その右側面図である。
【図４】板状マネキンの使用状態を示す図である。
【図５】板状マネキンに設けられたハンガーフック及びその周辺を拡大して表した図である。
【図６】（Ａ）は、一対の板状マネキンをハンガーラックで接続してなるマネキンユニットの平面図であり、（Ｂ）は、その右側面図であり、（Ｃ）は、その正面図である。
【図７】マネキンユニットの使用状態を示す図である。
【図８】本実施形態に係る板状マネキンの別の形態を示す図である。
【図９】（Ａ）は、ハンガーフックの取付位置を変更する構成の第１の変形例であり、（Ｂ）は、ハンガーフックの取付位置を変更する構成の第２の変形例である。
【図１０】本実施形態に係るハンガーを板状マネキンに掛止した様子を示す図である。
【図１１】本実施形態に適用可能なハンガーの他の例を示す図である。
【図１２】図１１に示すハンガーを板状マネキンに適用した状態を示す図である。
【図１３】図１１に示すハンガーの他の使用例について説明する図である。
【発明を実施するための形態】
【００１９】
以下、本発明の実施の形態に係る板状マネキンについて、図面を参照しながら説明する。ただし、発明の範囲は図示例に限定されない。なお、以下の説明において、同一の機能及び構成を有するものについては、同一の符号を付し、その説明を省略する。
【００２０】
まず、図１を参照しながら、本実施形態に係る板状マネキンについて説明する。ここで、図１（Ａ）及び同図（Ｂ）は、本実施形態に係る板状マネキンを正面から見た図である。
【００２１】
図１（Ａ）に示すように、板状マネキンＭＱ１は、男性の人体を模した形状であって、板状に形成されている。板状マネキンＭＱ１は、例えば、アクリル等の樹脂により形成されている。なお、板状マネキンＭＱ１の厚さは１〜２ｃｍとしたが、適宜の厚さに設定することができる。
【００２２】
板状マネキンＭＱ１は、人体の全身を一体形成により模したマネキン本体１１を備え、このマネキン本体１１の首部中央と腰部中央とにそれぞれハンガーフック１２ａ，１２ｂが前方に突出して設けられている。マネキン本体１１の左肩部の前面側には、左腕を模した左腕部１１ａＬが取り付けられている。左腕部１１ａＬもアクリル等の樹脂により板状に形成されている。これにより、左腕部１１ａＬをマネキン本体１１よりも前面側に重畳させて配置することができる。また、マネキン本体１１の顔部分は、目や口等を表すために適宜凹凸させた形状としてデザイン性を向上させているが、フラットな形状であってもよい。マネキン本体１１の底部には、略円盤状の台座部１３が取り付けられており、板状マネキンＭＱ１を床上に載置する際にマネキン本体１１を立設可能に支持することができる。台座部１３は、例えば、金属により形成されているが、他の材料であってもよく、マネキン本体１１を安定して支持できる重量であるのが好適である。また、台座部１３の形状も、マネキン本体１１を立設支持可能なものであれば、いずれの形状も採用することができる。このように、板状マネキンＭＱ１は、板状に形成されていることから、従来の立体形状からなるマネキンと比べ、軽量で運搬しやすく、取り扱いが容易である。
【００２３】
ハンガーフック１２ａ，１２ｂは、後述する衣料用ハンガーの掛止部（フック）を掛止可能に構成されている。具体的には、ハンガーフック１２ａ，１２ｂは、円柱状の胴部とその先端に一体形成されたフランジ状に形成された肉厚の頭部とからなり、胴部の基端がマネキン本体１１に固着されている。このように構成されているので、例えば、上衣を装着したハンガーをハンガーフック１２ａに掛止し、下衣を装着したハンガーをハンガーフック１２ｂに掛止することにより、簡便な方法で衣服を効率よく変更して展示することができる。その結果、店員や購買者によるコーディネートを簡単に行うことができ、購買者の購買意欲を促進させることができる。また、ハンガーフック１２ａ，１２ｂに掛止されたハンガーがハンガーフック１２ａ，１２ｂの胴部の延在方向に沿って前方に摺動した場合でも、ハンガーの掛止部が頭部に係止されることで、ハンガーが前方から脱落するのを防止できる。このように、本実施形態では、ハンガーフック１２ａ，１２ｂは、掛止手段として機能している。また、本実施形態では、ハンバーフック１２ａ，１２ｂは、フック部としても機能している。本実施形態では、上述したように構成されているため、従来のマネキンのように、本体に直接着衣させることなく、着衣の様子を確認することができるので、衣服の着せ替えが容易である。
【００２４】
図１（Ｂ）に示すように、板状マネキンＭＱ２は、背中を正面側に向けた男性の人体を模した形状であって、板状に形成されたマネキン本体２１の正面側にハンガーフック２２ａ，２２ｂが突設されており、マネキン本体２１の底部には台座部２３が取り付けられている。板状マネキンＭＱ２は、腕部も含めて全身が一体に形成されている。ハンガーフック２２ａは、マネキン本体２１の首部中央に設けられ、ハンガーフック２２ｂは、マネキン本体２１の腰部中央に設けられている。これらの機能はいずれも、図１（Ａ）に示される板状マネキンＭＱ１と同様であるため、詳しい説明を省略する。
【００２５】
次に、図２〜図５を参照しながら、本実施形態に係る板状マネキンの別の形態について説明する。ここで、図２（Ａ）は、本実施形態に係る板状マネキンＭＱ４を正面から見た図であり、同図（Ｂ）は、本実施形態に係る板状マネキンＭＱ５を正面から見た図であり、同図（Ｃ）は、本実施形態に係る板状マネキンＭＱ６を正面から見た図であり、同図（Ｄ）は、本実施形態に係る板状マネキンＭＱ７を正面から見た図である。また、図３（Ａ）は、図２（Ｄ）に示される板状マネキンＭＱ７の平面図であり、同図（Ｂ）は、板状マネキンＭＱ７の正面図であり、同図（Ｃ）は、板状マネキンＭＱ７の右側面図である。また、図４は、板状マネキンＭＱ７の使用状態を示す図である。また、図５（Ａ）は、板状マネキンＭＱ７に設けられたハンガーフック７２ｂ及びその周辺を拡大して表した図であり、同図（Ｂ）は、図５（Ａ）のＡ−Ａ断面図である。
【００２６】
図２（Ａ）に示すように、板状マネキンＭＱ４は、女性の人体を模した形状であって、板状に形成されている。板状マネキンＭＱ４は、図１（Ａ）に示される板状マネキンＭＱ１と基本的構成は同様であるが、左前腕を模した左前腕部４１ｂＬと右手を模した右手部４１ｃＲがマネキン本体４１の前面側に回動可能に取り付けられている。すなわち、左前腕部４１ｂＬは、回転支軸４５ｂを介して基部がマネキン本体４１の左腕の肘関節に相当する位置に取り付けられ、右手部４１ｃＲは、回転支軸４５ｃを介して基部が右腕の手関節に相当する位置に取り付けられている。回転支軸４５ｂ，４５ｃは、例えば、ボルトとナットとにより構成され、緊緩することによって、左前腕部４１ｂＬ及び右手部４１ｃＲを回動支軸４５ｂ，４５ｃを支軸として回動させることができる。これにより、板状マネキンによる展示効果に変化を与え、購買意欲を促進することができるようになる。なお、マネキン本体４１は、円盤状の台座部４３に固定されており、台座部４３により立設可能に支持されている。
【００２７】
また、本実施形態に係る板状マネキンＭＱ４には、ハンガーフック４２ａ，４２ｂを上下方向にスライド可能にするためのスライド孔４４ａ，４４ｂが、首部中央及び腰部中央にそれぞれ上下方向に延在して開設されている。このハンガーフック及びスライド孔の詳しい構成については後述する。ハンガーは、後述するように、衣服を装着するための本体部とハンガーをフックに掛止するための掛止部とを備えて構成されているが、掛止部の形状は様々であり、本体部からの延出寸法も異なっている。そのため、ハンガーフックの位置が固定されたものであると、使用するハンガーによっては、衣服が板状マネキンの形状に整合しない状態で掛止され、その結果、板状マネキンによる展示効果が低減する場合がある。これに対し、本実施形態によれば、ハンガーフックを上下方向に変位させることができるので、ハンガーの掛止部の形状に合わせてハンガーフックを適切な掛止位置に調整することができ、板状マネキンによる展示効果の低減を抑制することができる。
【００２８】
また、本実施形態では、マネキン本体４１の頭頂部にワイヤを挿通可能なワイヤ挿通孔４６が開設されている。これにより、例えば、店舗の天井に固定されたフックやスタンドに巻着されたワイヤの他端をワイヤ挿通孔４６に挿通して結着することにより、板状マネキンＭＱ４を吊り下げ支持することができ、板状マネキンＭＱ４の設置安定性を向上させることができる。
【００２９】
図２（Ｂ）に示される板状マネキンＭＱ５は、左側を向いた女性の人体を模した形状であって、板状に形成されている。板状マネキンＭＱ５は、図２（Ａ）に示される板状マネキンＭＱ４と基本的構成は同様であるが、左手を模した左手部５１ｄＬがマネキン本体５１の前面側に回動可能に取り付けられている。すなわち、左手部５１ｄＬは、回転支軸５５ｄを介して基部がマネキン本体５１の左腕の手関節に相当する位置に取り付けられている。これにより、左手部５１ｄＬは、回動支軸５５ｄを支軸として回動可能となっている。また、マネキン本体５１は、円盤状の台座５３に固定されており、台座部５３により立設可能に支持されている。
【００３０】
また、板状マネキンＭＱ５にも、首部中央及び腰部中央にそれぞれスライド孔５４ａ，５４ｂが開設されており、ハンガーフック５２ａ，５２ｂが上下方向にスライド可能となっている。また、マネキン本体５１の頭頂部には、ワイヤ挿通孔５６が開設されている。これらの機能は、図２（Ａ）に示される板状マネキンＭＱ４と同様であるため、説明を省略する。
【００３１】
図２（Ｃ）に示される板状マネキンＭＱ６は、正面を向いた男性の人体を模した形状であって、板状に形成されている。板状マネキンＭＱ６は、図２（Ａ）に示される板状マネキンＭＱ４と基本的構成は同様であるが、左腕を模した左腕部６１ａＬがマネキン本体６１の前面側に回動可能に取り付けられている。すなわち、左腕部６１ａＬは、回転支軸６５ａを介して基部がマネキン本体６１の左肩に相当する位置に取り付けられている。これにより、左腕部６１ａＬは、回動支軸６５ａを支軸として回動可能となっている。また、マネキン本体６１は、円盤状の台座６３に固定されており、台座部６３により立設可能に支持されている。
【００３２】
また、板状マネキンＭＱ６にも、首部中央及び腰部中央にそれぞれスライド孔６４ａ，６４ｂが開設されており、ハンガーフック６２ａ，６２ｂが上下方向にスライド可能となっている。また、マネキン本体６１の頭頂部には、ワイヤ挿通孔６６が開設されている。これらの機能は、図２（Ａ）に示される板状マネキンＭＱ４と同様であるため、説明を省略する。
【００３３】
図２（Ｄ）に示される板状マネキンＭＱ７は、正面を向いた女性の人体を模した形状であって、板状に形成されている。板状マネキンＭＱ７は、図２（Ａ）に示される板状マネキンＭＱ４と基本的構成は同様であるが、右腕を模した右腕部７１ｅＲがマネキン本体７１の前面側に回動可能に取り付けられている。すなわち、右腕部７１ｅＲは、回転支軸７５ｅを介して基部がマネキン本体７１の右肩に相当する位置に取り付けられている。これにより、右腕部７１ｅＲは、回動支軸７５ｅを支軸として回動可能となっている。また、マネキン本体７１は、円盤状の台座７３に固定されており、台座部７３により立設可能に支持されている。
【００３４】
また、板状マネキンＭＱ７にも、首部中央及び腰部中央にそれぞれスライド孔７４ａ，７４ｂが開設されており、ハンガーフック７２ａ，７２ｂが上下方向にスライド可能となっている。また、マネキン本体７１の頭頂部には、ワイヤ挿通孔７６が開設されている。これらの機能は、図２（Ａ）に示される板状マネキンＭＱ４と同様であるため、説明を省略する。
【００３５】
板状マネキンＭＱ７は、図３（Ａ）〜同図（Ｃ）に示すように、マネキン本体７１の背面の首下に相当する位置から棒状のハンガーラック７７がやや下り傾斜するように突設されている。ハンガーラック７７は、複数の係止凸部７７ａ〜７７ｃが上方に向けて立上げ形成されており、ハンガーラック７７に掛止されたハンガーが係止凸部７７ａ〜７７ｃに係止されてハンガーがハンガーラック７７から滑落するのを防止している。また、左手部の背面には、ハンガーフック７２ｃが後方に向けて突設されており、衣服を装着したハンガーを掛止可能に構成されている。
【００３６】
上述したようにして構成された板状マネキンＭＱ７では、図４に示すように、下衣としてのスカートＢＭ１が装着されたハンガーＨＧ２は、掛止部２０１によってマネキン本体７１の腰部中央に設けられたハンガーフック７２ｂに掛止されるとともに、上衣としてのブレザーＴＰ１が装着されたハンガーＨＧ１は、掛止部１０１によってハンガーフック７２ａに掛止されている。このとき、スカートＢＭ１の上端は、ブレザーＴＰ１の下部の背面側に位置し、実際に板状マネキンＭＱ７が衣服を着用しているように見せることができる。なお、ハンガーＨＧ１は、本体部１０２によってブレザーＴＰ１の肩部を支持して、ブレザーＴＰ１を吊り下げ支持することでブレザーＴＰ１を装着することができるようになっている。また、ハンガーＨＧ２は、本体部２０２の左右下端に一対の挟持部２０３が設けられており、この挟持部２０３でスカートＢＭ１の上端を挟持することにより、スカートＢＭ１をハンガーＨＧ２に装着することができるようになっている。
【００３７】
また、板状マネキンＭＱ７は、背面に設けられたハンガーラック７７に上衣あるいは下衣を装着したハンガーを複数掛止することができ、展示用の衣服のストッカーとして利用することができるようになっている。図４に示す例では、マネキン本体７１に近接する位置に、上衣ＴＰ２が装着されたハンガーＨＧ３がハンガーラック７７の、例えば、係止凸部７７ｂに係止されるように掛止され、その背面側に、上衣ＴＰ３が装着されたハンガーＨＧ４がハンガーラック７７の、例えば、係止凸部７７ｃに係止されるように掛止されている。本実施形態では、上述したようにしてハンガーラック７７を設けることで、コーディネートに用いる衣服の変更を速やかに行うことができる。
【００３８】
次に、本実施形態におけるハンガーフック及びスライド孔の構造について、図５を参照しながら説明する。図５は、板状マネキンＭＱ７のマネキン本体７１の腰部中央に設けられたハンガーフック７２ｂ及びスライド孔７４ｂの構造を示している。なお、図２に示される、板状マネキンＭＱ４〜ＭＱ７のいずれも、同様の構成としているが、一例であって、ハンガーフックを上下方向にスライド可能な構成であればいずれの構造も採用することができる。
【００３９】
図５（Ａ）及び同図（Ｂ）に示すように、ハンガーフック７２ｂは、先端には径大の肉厚円盤形状の頭部７２ｂ１と、頭部７２ｂ１の後面中央から後方に延びた円柱状の胴部７２ｂ２と、胴部７２ｂ２の後端より連続して延びて、胴部７２ｂ２よりも径がさらに小さい円柱状の挿通軸部７２ｂ３と、この挿通軸部７２ｂ３に連続して形成され、ボルト７２ｂ７と螺合するネジ部７２ｂ４とを備えている。ハンガーフック７２ｂをスライド孔７４ｂに挿通して取り付ける場合には、まず最初に、直径がスライド孔７４ｂの幅寸法よりも大きい一対のワッシャー７２ｂ５，７２ｂ６をマネキン本体７１を挟んで各ワッシャー７２ｂ５，７２ｂ６の中央に開設された開口が整合するように対向させ、その状態で、ハンガーフック７２ｂを一対のワッシャー７２ｂ５，７２ｂ６の各開口に前面側から挿通させる。すると、胴部７２ｂ２の後端がワッシャー７２ｂ５に当接してハンガーフック７２ｂの後方への移動が規制される。その状態で、ハンガーフック７２ｂの後端に形成されたネジ部７２ｂ４にボルト７２ｂ７を螺合することにより、一対のワッシャー７２ｂ５，７２ｂ６がマネキン本体７１を挟持することにより、ハンガーフック７２ｂの位置が固定される。ハンガーフック７２ｂの位置を変更する場合は、ボルト７２ｂ７を緩めることにより、一対のワッシャー７２ｂ５，７２ｂ６の挟持状態が解消され、スライド孔７４ｂに沿ってハンガーフック７２ｂをスライド移動させることができる。その後、所望とする位置となったときに、再度ボルト７２ｂ７を締め付けることで、ハンガーフック７２ｂをその位置で固定することができる。
【００４０】
次に、図６及び図７を参照して、本実施形態に係る板状マネキンの別の実施例について説明する。ここで、図６（Ａ）は、一対の板状マネキンＭＱ４，ＭＱ５をハンガーラック３００で接続してなるマネキンユニットＭＵの平面図であり、同図（Ｂ）は、マネキンユニットＭＵの右側面図であり、同図（Ｃ）は、マネキンユニットＭＵの正面図である。また、図７は、マネキンユニットＭＵの使用状態を示す図である。
【００４１】
図６（Ａ）〜同図（Ｃ）に示すように、マネキンユニットＭＵは、上述した板状マネキンＭＱ４及び板状マネキンＭＱ５が、背面が対向するように所定距離だけ離間させて配置され、板状マネキンＭＱ４及び板状マネキンＭＱ５の各背面の首下に相当する部分どうしを棒状のハンガーラック３００にて接続して構成されたものである。ハンガーラック３００は、略水平に架け渡されている。これにより、一方向だけでなく、二方向で板状マネキンを用いたコーディネートができるようになる。また、板状マネキンＭＱ４，ＭＱ５間に設けられたハンガーラック３００により、衣服を装着したハンガーを複数吊り下げておくことができるので、これらの衣服を２つの板状マネキンＭＱ４，ＭＱ５で共用することができ、利便性が向上する。また、板状マネキンＭＱ４，ＭＱ５のそれぞれの台座部４３，５３によりマネキンユニットＭＵを支持することができるので、設置安定性が向上する。
【００４２】
上述したようにして構成されたマネキンユニットＭＵでは、図７に示すように、上衣としてのブレザーＴＰ１と下衣としてのスカートＢＭ１とがそれぞれハンガーＨＧ１，ＨＧ２に装着されて、マネキンユニットＭＵを構成する板状マネキンＭＱ５に係止されている。具体的には、スカートＢＭ１が装着されたハンガーＨＧ２は、掛止部２０１によってマネキン本体５１の腰部に設けられたハンガーフック５２ｂに掛止されるとともに、ブレザーＴＰ１が装着されたハンガーＨＧ１は、掛止部１０１によってマネキン本体５１の首部に設けられたハンガーフック５２ａに掛止されている。このとき、スカートＢＭ１の上端は、ブレザーＴＰ１の下部の背面側に位置し、実際に板状マネキンＭＱ５が衣服を着用しているように見せることができる。また、図７に示す例では、ハンガーラック３００には、上衣ＴＰ２が装着されたハンガーＨＧ３と、上衣ＴＰ３が装着されたハンガーＨＧ４とが並べて掛止されている。
【００４３】
図８は、本実施形態に係る板状マネキンの別の形態を示す図である。
【００４４】
図８に示すように、展示台ＴＢには、２つの板状マネキンＭＱ８が載置されている。板状マネキンＭＱ８は、人体の上半身を模した形状であって、板状に形成されている。板状マネキンＭＱ８は、マネキン本体８１の下端の略中央に棒状の支柱８７の一端が下方に延出して取り付けられ、支柱８７の他端が台座８８と接続して構成されている。支柱８７と台座８８とは、例えば、溶着により取り付けられているが、他の接続手段により接続されてもよく、例えば、ネジ止めにより螺着された形態であってもよい。また、マネキン本体８１の右肩部の前面側には、右腕を模した右腕部８１ｅＲが取り付けられている。右腕部８１ｅＲは、肘関節で上方に折り曲げられ、右手部がマネキン本体８１の首部周辺に配置されるように形成されている。このとき、右腕部８１ｅＲは、マネキン本体８１の前面側に重畳して配置される。また、マネキン本体８１の左肩部の前面側には、左腕を模した左腕部８１ａＬが取り付けられている。左腕部８１ａＬは、肘関節で略直角に折り曲げられ、左手が右腰周辺に配置されるように形成されている。このとき、左腕部８１ａＬの前腕部分がマネキン本体８１の前面側に重畳して配置される。そして、マネキン本体８１の首部の略中央には上述したハンガーフック８２ａが取り付けられている。このように、板状マネキンＭＱ８は、上述したようにして構成されているため、上衣のコーディネートに適しているということができる。なお、板状マネキンＭＱ８においても、ハンガーフック８２ａを上下方向にスライド可能に構成されてもよいことは言うまでもない。
【００４５】
次に、図９を参照して、本実施形態に係る板状マネキンに設けられたハンガーの掛止位置を変更可能にするための構成の変形例について説明する。図９（Ａ）は、ハンガーフックの取付位置を変更する構成の第１の変形例であり、図９（Ｂ）は、ハンガーフックの取付位置を変更する構成の第２の変形例である。なお、図９（Ａ）及び同図（Ｂ）で使用される板状マネキンは、図２（Ｃ）に示される板状マネキンＭＱ６を用いている。
【００４６】
図９（Ａ）に示される板状マネキンＭＱ６には、マネキン本体６１の首部中央及び腰部中央にそれぞれ複数の取付穴が上下方向に並べるようにして開設されている。具体的には、マネキン本体６１の首部中央には、５つの取付穴６４ａ１〜６４ａ５が上下方向に等間隔に並んで配置されている。これらの取付穴６４ａ１〜６４ａ５には、ハンガーフック６２ａが着脱可能に挿入して取り付けられる。取付穴６４ａ１〜６４ａ５は、ハンガーフック６２ａを所定深さまで挿入できるように、凹状に刳り抜かれた形状とされている。なお、取付穴６４ａ１〜６４ａ５が背面まで貫通して形成されたものであってもよい。これによれば、ハンガーフック６２ａを抜き取り、所望とする位置に挿入するだけの簡単な作業でハンガーフック６２ａの位置を変更することができる。腰部中央に設けられた取付穴６４ｂ１〜６４ｂ５についても首部中央に設けれられた取付穴６４ａ１〜６４ａ５と同様に構成されている。なお、取付穴の数は上述したものに限定されず、適宜に設定することができる。
【００４７】
図９（Ｂ）に示される板状マネキンＭＱ６には、マネキン本体６１の首部中央及び腰部中央にそれぞれ上下方向に延びた複数の長孔が上下方向に並べるようにして開設されている。具体的には、マネキン本体６１の首部中央には、３つのハンガー挿通孔６４ａ６〜６４ａ８が上下方向に等間隔に並んで配置されている。これらのハンガー挿通孔６４ａ６〜６４ａ８は、例えば、上述したハンガーＨＧ１の掛止部１０１が干渉することなく前面側から背面側に挿通できる程度の長さの長孔によって形成されており、ハンガーＨＧ１を掛止する場合には、ハンガーＨＧ１の掛止部１０１をハンガー挿通孔６４ａ６〜６４ａ８のうち任意のハンガー挿通孔に挿通して、ハンガーＨＧ１の掛止部１０１が挿通されたハンガー挿通孔の内周下端に掛止されることにより、ハンガーＨＧ１を掛止することができるようになっている。これによれば、上述したハンガーフックのような部材を別途設ける必要がないため、製造コストに優れる。腰部中央に設けられたハンガー挿通孔６４ｂ６〜６４ｂ８についても首部中央に設けられたハンガー挿通孔６４ａ６〜６４ａ８と同様に構成されている。図９（Ｂ）に示される例では、下衣としてのズボンＢＴ２の上端をハンガーＨＧ２に設けられた一対の挟持部２０３で挟持し、ハンガーＨＧ２の掛止部２０１をマネキン本体６１の腰部中央に開設された３つのハンガー挿通孔６４ｂ６〜６４ｂ８のうち最も下方に配置されたハンガー挿通孔６４ｂ８に挿通して、ハンガーＨＧ２を掛止している。なお、ハンガー挿通孔の数は上述したものに限定されず、適宜に設定することができる。
【００４８】
次に、これまでに説明した板状マネキンに好適に用いることができるハンガーの形状について、図１０を参照しながら説明する。ここで、図１０は、本実施形態に係るハンガーを板状マネキンに掛止した様子を示す図である。
【００４９】
図１０に示されるように、上述した板状マネキンＭＱ７の首部のハンガーフック７２ａにはハンガーＨＧ１１が掛止されており、腰部のハンガーフック７２ｂには、ハンガーＨＧ１２が掛止されている。
【００５０】
ハンガーＨＧ１１は、ハンガーフックに掛止するために鉤状に形成された掛止部１１０１と、掛止部１１０１の基端から幅方向に延設されて略三角形状に形成された本体部１１０２とを備えて構成されている。掛止部１１０１と本体部１１０２とは、例えば、透明樹脂により一体形成されている。これにより、衣服を装着したハンガーＨＧ１１を板状マネキンＭＱ７に掛止したときに、ハンガーを目立たなくすることができるので、美観が向上し、展示効果を向上させることができる。なお、透明樹脂に限らず、他の色の樹脂を採用してもよく、例えば、板状マネキンＭＱ７の色と同じ色の樹脂を採用してもよい。また、本体部１１０２に下端縁の左右には、下衣等の衣服を挟持するための一対の挟持部１１０３が取り付けられている。ハンガーＨＧ１１の本体部１１０２は、上衣の肩部を掛止することにより上衣を支持することができ、支持部として機能している。また、本体部１１０２の幅寸法は、板状マネキンＭＱ７のマネキン本体７１の肩幅寸法に整合する長さに形成されている。これにより、上衣を装着したハンガーＨＧ１１を板状マネキンＭＱ７に掛止した場合、板状マネキンＭＱ７の形状にハンガーＨＧ１１に装着された上衣が整合するようになり、美観が向上し、展示効果を向上させることができる。
【００５１】
ハンガーＨＧ１２は、ハンガーフックに掛止するための鉤状に形成された掛止部１２０１の基端部が水平方向に延在する本体部１２０２の中央に取り付けられている。掛止部１２０１は、例えば、金属により形成され、本体部１２０２は、例えば、木製であるが、これに限定されず、掛止部１２０１と本体部１２０２とが樹脂や金属により一体形成されたものであってもよい。また、本体部１２０２の下端縁の左右には、下衣等の衣服を挟持するための一対の挟持部１２０３が取り付けられている。ハンガーＨＧ１２の本体部１２０２は、下衣の上端を一対の挟持部１２０３で挟持することにより下衣を支持することができ、支持部として機能している。また、本体部１２０２の幅寸法は、板状マネキンＭＱ７のマネキン本体７１の腰部の幅寸法に整合する長さに形成されている。これにより、下衣を装着したハンガーＨＧ１２を板状マネキンＭＱ７に掛止した場合、板状マネキンＭＱ７の形状にハンガーＨＧ１２に装着された下衣が整合するようになり、美観が向上し、展示効果を向上させることができる。
【００５２】
次に、これまでに説明した板状マネキンに好適に用いることができるハンガーの他の例について、図１１を参照しながら説明する。ここで、図１１は、本実施形態に適用可能なハンガーの他の例を示す図である。
【００５３】
ハンガーＨＧ２１は、図１１に示されるように、鉤状に形成された掛止部２１０１と、掛止部２１０１の基端から幅方向に延設されてヘ字状に形成された本体部２１０２と、本体部２１０２の左右両端部分を連結する横桟部２１０３とを備えている。
【００５４】
横桟部２１０３は、本体部２１０２の左右両端近傍からそれぞれ下方に延在する一対の縦枠２１０３ａ，２１０３ｂと、これら一対の縦枠２１０３ａ，２１０３ｂの下端を接続する左右方向に延在する横枠２１０３ｃとが、例えば、針金によって上方が開放された箱型形状に折曲形成されている。縦枠２１０３ａ，２１０３ｂの長さは、例えば、装着される上衣の胸部よりも下方で、腰部よりも上方に横枠２１０３ｃが位置するような長さに設定しているが、適宜の長さに設定することができる。また、縦枠２１０３ａ，２１０３ｂが伸縮自在に構成されて、縦枠２１０３ａ，２１０３ｂの長さを変更できるようにしてもよい。なお、例えば、縦枠２１０３ａ，２１０３ｂを金属製あるいは樹脂製のチェーンにより形成されてもよい。また、横枠２１０３ｃの略中央部分は、Ｕ字状に窪んだ掛止凹部２１０３ｄが形成されており、他のハンガーの掛止部を掛止可能に構成されている。これにより、掛止凹部２１０３ｄに掛止されたハンガーを位置決めしつつ掛止させることができる。すなわち、掛止凹部２１０３ｄは、ハンガーのずれ止めとして機能している。なお、横桟部２１０３の形状は、上述したように箱型形状に形成されるものの他、例えば、Ｖ字状に折曲形成されていてもよいし、また、Ｕ字状に形成されてもよく、種々の形状が採用できる。また、掛止凹部２１０３ｄの形状も、Ｕ字状の他、コ字状やＶ字状に形成されてもよい。
【００５５】
続いて、上述したハンガーＨＧ２１を板状マネキンＭＱ７に適用した例について、図１２を参照しながら説明する。ここで、図１２は、図１１に示すハンガーを板状マネキンＭＱ７に適用した状態を示す図である。なお、図１２に示される板状マネキンＭＱ７には、ハンガーフック７２ｂ及びスライド孔７４ｂを省略しているが、これらが設けられた構成であってもよい。
【００５６】
図１２に示すように、ハンガーＨＧ２１には、上衣としてのブレザーＴＰ１が装着されており、ハンガーＨＧ２には、下衣としてのスカートＢＭ１が装着されている。そして、スカートＢＭ１が装着されたハンガーＨＧ２の掛止部２０１を、ブレザーＴＰ１が装着されたハンガーＨＧ２１の横桟２１０３の横枠２１０３ｃに形成された掛止凹部２１０３ｄに掛止させ、その状態で、ハンガーＨＧ２１の掛止部２１０１が板状マネキンＭＱ７のハンガーフック７２ａに掛止されている。このとき、ハンガーＨＧ２は、ブレザーＴＰ１の内側で横桟部２１０３の掛止凹部２１０３ｄに掛止されるので、実際に衣服を着ているような態様で購買者に視認させることが可能となり、展示効果の向上を図ることができるようになる。
【００５７】
また、上述したハンガーＨＧ２１によれば、図１３に示すような態様で使用することもできる。ここで、図１３は、図１１に示すハンガーの他の使用例について説明する図である。これまでに説明した板状マネキンのほかにも、例えば、図１３に示すように、店舗の壁面Ｗに設けられたハンガーフック１７２に掛止して衣服を展示することもできるので、汎用性にも優れているということができる。
【００５８】
以上説明したように、本実施形態によれば、板状に形成されたマネキン本体１１（２１，４１，５１，６１，７１，８１）は、ハンガーＨＧ１（ＨＧ２，ＨＧ１１，ＨＧ１２）の掛止部１０１（２０１，１１０１，１２０１）を掛止可能なハンガーフック１２ａ，１２ｂ（２２ａ，２２ｂ，４２ａ，４２ｂ，５２ａ，５２ｂ，６２ａ，６２ｂ，７２ａ，７２ｂ，８２ａ）あるいはハンガー挿通孔６４ａ６，６４ａ７，６４ａ８，６４ｂ６，６４ｂ７，６４ｂ８を有する。そのため、簡便な方法でマネキンの着せ替えを行うことができるので、着せ替え作業コストを低減することができるようになる。また、販売を促進したい衣服を効率よく変更して展示することができるので、板状マネキンの展示効果により衣服の売り上げを向上させることができるようになる。また、購買者にとっては、簡便な方法で衣服のコーディネートができるので、利便性が向上する。また、マネキンを板状に形成しているので、運搬しやすく取り扱いが容易である。
【００５９】
また、本実施形態によれば、ハンガーフック１２ａ，１２ｂ（２２ａ，２２ｂ，４２ａ，４２ｂ，５２ａ，５２ｂ，６２ａ，６２ｂ，７２ａ，７２ｂ，８２ａ）は、マネキン本体１１（２１，４１，５１，６１，７１，８１）の板面から突出して設けられ、ハンガーフック１２ａ，１２ｂ（２２ａ，２２ｂ，４２ａ，４２ｂ，５２ａ，５２ｂ，６２ａ，６２ｂ，７２ａ，７２ｂ，８２ａ）にハンガーＨＧ１（ＨＧ２，ＨＧ１１，ＨＧ１２）の掛止部１０１（２０１，１１０１，１２０１）を掛止可能に構成されている。その結果、ハンガーの形状を問わず、簡便にハンガーを掛止することができるので、着せ替え作業やコーディネートが容易となる。
【００６０】
また、本実施形態によれば、ハンガーフック４２ａ，４２ｂ（５２ａ，５２ｂ，６２ａ，６２ｂ，７２ａ，７２ｂ）あるいはハンガー挿通孔６４ａ６，６４ａ７，６４ａ８，６４ｂ６，６４ｂ７，６４ｂ８は、ハンガーＨＧ１（ＨＧ２，ＨＧ１１，ＨＧ１２）の掛止部１０１（２０１，１１０１，１２０１）の掛止位置を変更可能に構成されているので、掛止部の形状の異なるハンガーを適切な掛止位置に調整することができ、その結果、ハンガーに装着した衣服を板状マネキンの形状に整合させることができるので、展示効果の低減を抑制することができる。
【００６１】
また、本実施形態によれば、ハンガーフック４２ａ，４２ｂ（５２ａ，５２ｂ，６２ａ，６２ｂ，７２ａ，７２ｂ）を上下方向にスライド可能に案内するスライド孔４４ａ，４４ｂ（５４ａ，５４ｂ，６４ａ，６４ｂ，７４ａ，７４ｂ）がマネキン本体４１（５１，６１，７１）に設けられている。ハンガーフック４２ａ，４２ｂ（５２ａ，５２ｂ，６２ａ，６２ｂ，７２ａ，７２ｂ）をスライド孔４４ａ，４４ｂ（５４ａ，５４ｂ，６４ａ，６４ｂ，７４ａ，７４ｂ）に沿って移動させることによりハンガーＨＧ１（ＨＧ２，ＨＧ１１，ＨＧ１２）の掛止部１０１（２０１，１１０１，１２０１）の掛止位置を変更可能に構成されている。その結果、簡便な方法で衣料用ハンガーの掛止位置を変更することができ、さらに、スライドによる位置調整が可能なため、衣料用ハンガーの掛止位置を適切な位置に設定することができる。
【００６２】
また、本実施形態によれば、ハンガーフック１２ａ，１２ｂ（２２ａ，２２ｂ，４２ａ，４２ｂ，５２ａ，５２ｂ，６２ａ，６２ｂ，７２ａ，７２ｂ）あるいはハンガー挿通孔６４ａ６，６４ａ７，６４ａ８，６４ｂ６，６４ｂ７，６４ｂ８は、マネキン本体１１（２１，４１，５１，６１，７１）の首部及び腰部に配置されている。その結果、上衣と下衣とを分けて衣服を展示することができるので、多彩なコーディネートが可能となり、板状マネキンによる展示効果が向上する。
【００６３】
また、本実施形態によれば、一又は複数のハンガーＨＧ１（ＨＧ２，ＨＧ１１，ＨＧ１２）の掛止部１０１（２０１，１１０１，１２０１）を掛止可能なハンガーラック７７をマネキン本体７１の板面から突出して設けたので、一又は複数の衣服を板状マネキンにストックさせておくことができ、板状マネキンの着せ替え作業がより容易となる。
【００６４】
また、本実施形態によれば、マネキンユニットＭＵは、一対の板状マネキンＭＱ４，ＭＱ５と、一又は複数のハンガーＨＧ１（ＨＧ２，ＨＧ１１，ＨＧ１２）の掛止部１０１（２０１，１１０１，１２０１）を掛止可能な棒状のハンガーラック３００とを備えている。一対のマネキンＭＱ４，ＭＱ５をマネキン本体４１，５１の板面同士が対向するように配置するとともに、ハンガーラック３００の両端をこの一対のマネキンＭＱ４，ＭＱ５のマネキン本体４１，５１の対向面にそれぞれ取り付ける。その結果、一方向だけでなく、二方向で板状マネキンを用いたコーディネートができるようになる。また、一対の板状マネキン間に設けられたラック部材により、衣服を装着した衣料用ハンガーを複数掛止させておくことができるので、これらの衣服を一対の板状マネキンで共用することができ、利便性が向上する。また、一対の板状マネキンでマネキンユニットＭＵを支持することができるので、設置安定性が向上する。
【００６５】
また、本実施形態によれば、ハンガーＨＧ１１（ＨＧ１２）は、マネキン本体１１（２１，４１，５１，６１，７１，８１）のハンガーフック１２ａ，１２ｂ（２２ａ，２２ｂ，４２ａ，４２ｂ，５２ａ，５２ｂ，６２ａ，６２ｂ，７２ａ，７２ｂ，８２ａ）に掛止するための掛止部１１０１（１２０１）と、掛止部１１０１（１２０１）の基端から幅方向に延設されて衣服を支持するための本体部１１０２（１２０２）とを備える。本体部１１０２（１２０２）は、幅寸法が板状マネキンＭＱ１（ＭＱ２，ＭＱ４，ＭＱ５，ＭＱ６，ＭＱ７，ＭＱ８）の肩幅寸法又は腰部の幅寸法に整合するように形成されている。その結果、板状マネキンの形状に衣服を整合させることができ、美観が向上し、展示効果を攻城させることができる。
【００６６】
また、本実施形態によれば、ハンガーＨＧ１１（ＨＧ１２）は、掛止部１１０１（１２０１）と本体部１１０２（１２０２）とが透明の樹脂により一体形成されているので、衣服を装着したハンガーを板状マネキンに掛止させたときにハンガーを目立たなくすることができるので、美観が向上し、展示効果を向上させることができる。
【００６７】
また、本実施形態によれば、ハンガーＨＧ２１は、マネキン本体の掛止手段に掛止するための掛止部２１０１と、掛止部２１０１の基端から幅方向に延設されて衣服を支持する支持部２１０２と、支持部２１０２の両端部分を連結する横桟部２１０３とを備えている。横桟部２１０３は、下方に膨出するようにして形成されるとともに、他の衣料用ハンガーを掛止可能な凹状の掛止凹部２１０３ｄを有している。その結果、実際に衣服を着ているような態様で購買者に視認させることが可能となり、展示効果の向上を図ることができるようになる。
【００６８】
なお、これまで説明した板状マネキンを構成する材料として、例えば、アクリル等の樹脂を採用したが、木材を板状にしたものあるいはその合板によって形成されてもよいし、紙類によって形成されてもよい。
【００６９】
また、板状マネキンの前面の一部又は全部に板状の鏡を設けるようにしてもよく、例えば、板状マネキンの全面に鏡を設けた場合には、鏡に映った購買者が着用している衣服と板状マネキンによって展示される衣服とで簡単にコーディネートすることができるので、購買者が興味のある衣服を身体にあてがって鏡を見て確認するといったような煩雑な作業が不要となり、衣服選びが容易となる。
【００７０】
また、板状マネキンを人体の下半身を模した形状としてもよく、このような板状マネキンについても本発明を適用することができる。
【００７１】
また、これまで説明した板状マネキンは、衣服を装着したハンガーをハンガーフックに掛止することにより、衣服の販売を促進することができるものであるが、例えば、板状マネキンに襟巻や靴下あるいは手袋等を直接着衣させたり、ネックレスやブレスレット等の装飾品を装着させる等して、衣服の展示の他、アクセサリー飾りとして用いることもでき、店舗内における装飾効果を向上させることもできる。
【００７２】
なお、本発明の実施の形態に記載された作用および効果は、本発明から生じる最も好適な作用および効果を列挙したに過ぎず、本発明による作用および効果は、本発明の実施の形態に記載されたものに限定されるものではない。
【符号の説明】
【００７３】
ＭＱ１，ＭＱ２，ＭＱ４，ＭＱ５，ＭＱ６，ＭＱ７，ＭＱ８  板状マネキン
１１，２１，４１，５１，６１，７１，８１  マネキン本体
１２ａ，１２ｂ  ハンガーフック
２２ａ，２２ｂ  ハンガーフック
４２ａ，４２ｂ  ハンガーフック
５２ａ，５２ｂ  ハンガーフック
６２ａ，６２ｂ  ハンガーフック
７２ａ，７２ｂ  ハンガーフック
８２ａ  ハンガーフック
４４ａ，４４ｂ  スライド孔
５４ａ，５４ｂ  スライド孔
６４ａ，６４ｂ  スライド孔
７４ａ，７４ｂ  スライド孔
６４ａ１，６４ａ２，６４ａ３，６４ａ４，６４ａ５  取付穴
６４ｂ１，６４ｂ２，６４ｂ３，６４ｂ４，６４ｂ５  取付穴
６４ａ６，６４ａ７，６４ａ８  ハンガー挿通孔
６４ｂ６，６４ｂ７，６４ｂ８  ハンガー挿通孔
７７  ハンガーラック
ＭＵ  マネキンユニット
３００  ハンガーラック
ＨＧ１１，ＨＧ１２，ＨＧ２１  ハンガー
１１０１，１２０１，２１０１  掛止部
１１０２，１２０２，２１０２  本体部
２１０３  横桟部
２１０３ｄ  掛止凹部
【図１】
2017042369.tif 000003
【図２】
2017042369.tif 000004
【図３】
2017042369.tif 000005
【図４】
2017042369.tif 000006
【図５】
2017042369.tif 000007
【図６】
2017042369.tif 000008
【図７】
2017042369.tif 000009
【図８】
2017042369.tif 000010
【図９】
2017042369.tif 000011
【図１０】
2017042369.tif 000012
【図１１】
2017042369.tif 000013
【図１２】
2017042369.tif 000014
【図１３】
2017042369.tif 000015